(57)【要約】【課題】コイン状部材を溜めるための容器部材がベース部材に簡単に、且つ、確実に着脱できるようにする。【解決手段】コイン状部材を回転搬送して送出口５より１枚づつ送出するための回転体４、回転体４を回転させる電動モータ３などが装着されたベース部材１に凹部６〜９を水平方向に設ける。容器部材２には取付脚１０〜１３を設け、それぞれの下端部に、ベース部材１の凹部６、７、８に嵌脱可能な突起１０Ａ、１１Ａ、１２Ａを設け、取付脚１３の下端部には螺子穴１３Ａを水平方向に設ける。そして、容器部材２を回動してベース部材１の各凹部と取付脚の対応する突起とを嵌合させると共に、凹部９に臨んだ螺子穴１３Ａに螺子１４を凹部９の側から捩じ込んで取付脚１３をベース部材１に固定し、容器部材２の回動を防止して取付脚に設けた突起がベース部材１に設けた凹部から抜けないようにした。【選択図】        図３
2004164297.tif 000002
【特許請求の範囲】
【請求項１】
容器部材に貯留したコイン状部材を電動モータにより回転させる回転部材の分離穴を介して１枚づつ送出するコイン状部材送出装置において、容器部材から垂設された複数本の取付脚が、電動モータ、回転部材などが装着されたベース部材に凹凸嵌合されて、容器部材がベース部材に着脱可能に装着されたことを特徴とするコイン状部材送出装置。
【請求項２】
容器部材またはベース部材の水平面内の回動により、容器部材の取付脚とベース部材との凹凸嵌合およびその解消が可能に、凹凸が共に水平方向に設けられたことを特徴とする請求項１記載のコイン状部材送出装置。
【請求項３】
容器部材を回転部材の回転方向と同一方向に回動したときに容器部材の取付脚とベース部材とが凹凸嵌合し、容器部材を回転部材の回転方向とは逆方向に回動したときに前記凹凸嵌合が解消可能に、凹凸が形成されたことを特徴とする請求項２記載のコイン状部材送出装置。
【請求項４】
回転部材が回転可能に内装される円筒状部を備えた枠体がベース部材に装着され、その枠体の円筒状部に容器部材の円筒状下部開口端が水平面内で回動可能に内接して設けられたことを特徴とする請求項２または３に記載のコイン状部材送出装置。
【請求項５】
ベース部材に凹部が設けられ、その凹部に嵌合する凸部が容器部材の取付脚に設けられたことを特徴とする請求項２〜４何れかに記載のコイン状部材送出装置。
【請求項６】
ベース部材に装着された容器部材の水平面内の回動を防止する回動防止手段が設けられたことを特徴とする請求項２〜５何れかに記載のコイン状部材送出装置。
【発明の詳細な説明】
【０００１】
【発明の属する技術分野】
この発明は、貯留してある硬貨、遊技用メダルなどのコイン状部材を１枚づつに分離しながら送出する機構を持つコイン状部材送出装置に関する。
【０００２】
【従来の技術】
この種の装置としては、例えば図６に示したように、土台となるベース部材１と、そのベース部材１の上方に配置された容器部材２と、ベース部材１の上部に設置されて電動モータ３により回転駆動され、容器部材２に貯留してあるコイン状部材を送出する円板状の回転体４とを少なくとも備えて構成され、前面側に配置された送出口５から硬貨や遊技用のメダルを払い出すようにしたコイン状部材送出装置１００Ｘが周知である（例えば、特許文献１参照。）。
【０００３】
このコイン状部材送出装置１００Ｘにおいては、硬貨や遊技用のメダルを貯留するための容器部材２の下部開口２Ｂの外周をほぼ角筒状の台座３１に形成すると共に、硬貨や遊技用メダルの出口を挟む台座３１の各角部にはやや大きな一対の突起３２を設け、これら一対の突起３２をベース部材１に設けたフック部３３内に挿入しつつ容器部材２を下方向に少し回転させることで、容器部材２が予め設定してある位置に組み付けられ、その状態で螺子１４を捩じ込むことでベース部材１に容器部材２が取り付けられるように構成されている。
【０００４】
すなわち、このコイン状部材送出装置１００Ｘにおいては、一対の突起３２がベース部材１のフック部３３に挿し込まれることで、ベース部材１に対する容器部材２の位置決めがなされる。また、螺子１４によってベース部材１に取り付けられた容器部材２の回動が、ベース部材１のフック部３３に挿し込まれた一対の突起３２の存在によって防止される。
【０００５】
しかし、このコイン状部材送出装置１００Ｘにおいては、ベース部材１のフック部３３が変形などし、突起３２の挿入に僅かでも支障が生じると、ベース部材１と容器部材２の螺子穴の位置がずれ、容器部材２をベース部材１に取り付けることが困難になり、製造し難いと云う問題点があった。
【０００６】
また、下部開口２Ｂの外周部には角筒状の台座３１が形成されており、材料の使用量が多く、コスト高を招くと云った問題点もあった。
【０００７】
【特許文献１】
特開２００２−５６４２５号公報（図２）
【０００８】
【発明が解決しようとする課題】
そのため、容器部材をベース部材に装着する際に、部材が多少変形することがあっても組み立て易い構成を提供すると共に、材料の使用量を減らして製造コストの削減が図れるようにもする必要があり、その解決が課題となっていた。
【０００９】
【課題を解決するための手段】
本発明は、上記従来技術の課題を解決するため、容器部材に貯留したコイン状部材を電動モータにより回転させる回転部材の分離穴を介して１枚づつ送出するコイン状部材送出装置において、容器部材から垂設した複数本の取付脚を、電動モータ、回転部材などが装着されたベース部材に凹凸嵌合して、容器部材をベース部材に着脱可能に装着するようにした第１の構成のコイン状部材送出装置と、
【００１０】
前記第１の構成のコイン状部材送出装置において、容器部材またはベース部材の水平面内の回動により、容器部材の取付脚とベース部材との凹凸嵌合およびその解消が可能に、凹凸を共に水平方向に設けるようにした第２の構成のコイン状部材送出装置と、
【００１１】
前記第２の構成のコイン状部材送出装置において、容器部材を回転部材の回転方向と同一方向に回動したときに容器部材の取付脚とベース部材とが凹凸嵌合し、容器部材を回転部材の回転方向とは逆方向に回動したときに前記凹凸嵌合が解消可能に、凹凸を形成するようにした第３の構成のコイン状部材送出装置と、
【００１２】
前記第２または第３の構成のコイン状部材送出装置において、回転部材が回転可能に内装される円筒状部を備えた枠体をベース部材に装着し、その枠体の円筒状部に容器部材の円筒状下部開口端を水平面内で回動可能に内接して設けるようにした第４の構成のコイン状部材送出装置と、
【００１３】
前記第２〜第４何れかの構成のコイン状部材送出装置において、ベース部材に凹部を設け、その凹部に嵌合する凸部を容器部材の取付脚に設けるようにした第５の構成のコイン状部材送出装置と、
【００１４】
前記第２〜第５何れかの構成のコイン状部材送出装置において、ベース部材に装着した容器部材の水平面内の回動を防止する回動防止手段を設けるようにした第６の構成のコイン状部材送出装置と、
を提供するものである。
【００１５】
【発明の実施の形態】
以下、本発明の一実施形態を図１〜図５に基づいて詳細に説明する。なお、理解を容易にするため、これらの図においても前記図６において説明した部分と同様の機能を有する部分には、同一の符号を付した。
【００１６】
本発明のコイン状部材送出装置１００においては、図２に示したように、分離穴４Ａに落ち込んだコインや遊技用メダルなどのコイン状部材を送出口５の方向に回転搬送して送出口５より１枚づつ送出するための回転体４と、その回転体４を回転駆動させるための電動モータ３などが装着されたベース部材１の上部側４箇所、具体的には装着された回転体４を囲繞する周囲４箇所には、凹部６〜９が水平方向に設けられている。
【００１７】
なお、ベース部材１の上部には枠体１５が着脱可能にねじ止めされ、その内側に回転体４は装着され、ギヤなどの図示しない回転伝達機構を介して電動モータ３により回転される回転軸１６の回転により、回転体４は例えば反時計方向に回転駆動される（他の装置においては、時計方向に回転させることが可能。）。
【００１８】
すなわち、回転体４は、ベース部材１の上面に突設され、ギヤなどの図示しない回転伝達機構を介して電動モータ３により回転駆動される回転軸１６に装着されて、電動モータ３の回転に従動して回転するように装着されている。
【００１９】
そして、回転体４が装着されている枠体１５の円筒状部１５Ａ内には、コイン状部材が貯留される容器部材２の下部開口２Ｂを囲繞形成している円筒状部２Ｃが回動可能に、且つ、挿脱可能に内接した状態に嵌め込まれて、ベース部材１に容器部材２が装着され、容器部材２に貯留されたコイン状部材が下部開口２Ｂを通って回転体４の分離穴４Ａに入り込み、送出口５に回転搬送されて送出口５から送出されるようになっている。
【００２０】
その容器部材２には、垂設された４本の取付脚１０〜１３が設けられている。そして、取付脚１０の下端部には、ベース部材１の側面部に設けられている水平方向の凹部６に対して嵌脱可能に突起１０Ａが水平に設けられている。
【００２１】
また、取付脚１１の下端部には、ベース部材１の側面部に設けられている水平方向の凹部７に対して嵌脱可能に突起１１Ａが水平に設けられている。なお、凹部７は凹部７Ａと７Ｂの上下２段に設けられており、上側の凹部７Ａに取付脚１１の突起１１Ａが嵌脱可能となっている。なお、取付脚１１には突起１１Ｂも設けられて、突起１１Ａ、１１Ｂとで梁状部７Ｃを挟持している。
【００２２】
また、取付脚１２の下端部には、ベース部材１の側面部に設けられている水平方向の凹部８に嵌脱可能に突起１２Ａが水平に設けられ、取付脚１３の下端部には螺子穴１３Ａが水平に設けられている。
【００２３】
そして、円筒状部２Ｃを円筒状部１５Ａ内に嵌め込んだ状態で、ベース部材１と容器部材２とを図５に示したように位置させて容器部材２を矢印Ａの方向、すなわち反時計回りの方向に回動したときに取付脚１０〜１２の突起１０Ａ〜１２Ａは各々の突起に対応した凹部６〜８に嵌り込み、且つ、取付脚１３の螺子穴１３Ａがベース部材１の凹部９に臨み、取付脚１３がベース部材１に１本の螺子１４を介して固定される構成となっている（ベース部材１を図５における矢印Ａとは逆方向、すなわち時計回りの方向に回動させて凹凸嵌合させても良い）。
【００２４】
なお、ベース部材１の凹部６〜８と、取付脚１０〜１２の突起１０Ａ〜１２Ａとの前記嵌合は、容器部材２を図５における矢印Ａとは逆方向、すなわち時計回りの方向に回動したときには解消される（ベース部材１を図５における矢印Ａの方向、すなわち反時計方向に回動させても良い）。
【００２５】
上記したように、本発明のコイン状部材送出装置１００においては、図５に示したように、枠体１５の円筒状部１５Ａに容器部材２の円筒状部２Ｃを内装してベース部材１と容器部材２とを位置させ、容器部材２を反時計回りの方向に回動させるだけで、ベース部材１に設けた凹部６〜８に、容器部材２から垂設した４本の取付脚１０〜１３の内の３本の取付脚１０〜１２に設けた突起１０Ａ〜１２Ａが嵌合すると共に、残りの取付脚１３に設けた螺子穴１３Ａがベース部材１の残りの凹部９に臨み、螺子１４によって取付脚１３をベース部材１に固定することができるので、容器部材２をベース部材１に簡単に装着することができる。
【００２６】
しかも、取付脚１０〜１２に設けた突起１０Ａ〜１２Ａが変形するなどして、ベース部材１に設けた凹部６〜８への突起１０Ａ〜１２Ａの挿入に多少の支障が生じることがあっても、取付脚１３に設けた螺子穴１３Ａとベース部材１の凹部９とは対向した位置にあるので、螺子１４によって取付脚１３をベース部材１に固定し、組み立て製造することは容易である。
【００２７】
また、従来のコイン状部材送出装置１００Ｘで形成していた角筒状の台座は設けられていないので、材料の使用量が減少し、製造原価の低減も図れる。
【００２８】
また、容器部材２を装着するためにベース部材１に設けた凹部と、容器部材２の取付脚に設けた突起とは、容器部材２を回転体４の回転方向と同じ方向に回動したときに嵌合し、逆方向に回動したときに前記嵌合が解消するように設けられているので、回転体４の回転により回転搬送されるコイン状部材と容器部材２との摩擦力によって容器部材２に回転モーメントが作用しても、ベース部材１に設けた凹部と取付脚に設けた突起との嵌合が緩むことはないし、取付脚１３が１本の螺子１４によってベース部材１の凹部９の部分に回動しないように固定されるので、凹凸嵌合を利用して装着された容器部材２がベース部材１から意図しないときに外れると云った不都合が生じることもない。
【００２９】
また、螺子１４を外し、容器部材２を時計回りの方向に回動させるだけで容器部材２はベース部材１から取り外せるので、取り外しも簡単に行える。
【００３０】
なお、本発明は上記実施形態に限定されるものではないので、特許請求の範囲に記載の趣旨から逸脱しない範囲で各種の変形実施が可能である。
【００３１】
例えば、取付脚１３も他の取付脚と同様にベース部材１と凹凸嵌合させ、適宜の突起、例えば取付脚１１の突起１１Ａが嵌合した凹部７から抜け出ることがないように、螺子を取付脚１１に沿わせてベース部材１に直接螺着して立設し、容器部材２の回動を防止するようにしても良い。
【００３２】
また、取付脚１０〜１３に凹部を設け、枠体１５の円筒状部１５Ａに円筒状部２Ｃを内装して容器部材２を回動したときに、取付脚１０〜１３に設けた凹部と嵌脱する突起をベース部材１に設けるように構成することも可能である。
【００３３】
また、回転体４は傾斜した状態に設け、硬貨や遊技用メダルは下部側で分離穴４Ａに入り込み、それを上部側に回転搬送して上部側に設けた送出口から送出するように構成することもできる。
【００３４】
【発明の効果】
この発明によれば、電動モータ、回転部材などが装着されたベース部材に、コインや遊技用メダルなどのコイン状部材を貯留する容器部材が凹凸嵌合を利用して取り付けられるので、装着／取り外しとも簡単に行える。
【００３５】
しかも、部材が多少変形することなどがあっても容易に組み立て製造することが可能であり、また、材料の使用量が減少したので製造原価の低減も図れる。
【００３６】
また、容器部材を回転部材の回転方向と同一方向に回動したときに容器部材の取付脚とベース部材とが凹凸嵌合し、容器部材を回転部材の回転方向とは逆方向に回動したときに前記凹凸嵌合が解消可能に、凹凸を形成するようにした発明においては、容器部材内のコイン状部材を回転搬送して送出するときに、前記凹凸嵌合が緩むと云った不都合が生じることはない。
【００３７】
また、枠体の円筒状部に容器部材の円筒状下部開口端が内接して容器部材を回動することができるようにした発明においては、枠体の円筒状部が容器部材装着時のガイドとなるので、容器部材とベース部材との凹凸嵌合が容易となる。
【００３８】
また、回動防止手段を設けるようにした発明においては、凹凸嵌合を利用して簡単に装着できた容器部材がベース部材から意図しないときに外れると云った不都合が生じることはない。
【図面の簡単な説明】
【図１】本発明のコイン状部材送出装置を示す説明図である。
【図２】本発明のコイン状部材送出装置のベース部材側を示す説明図である。
【図３】容器部材とベース部材とを分離した状態を示す説明図である。
【図４】本発明のコイン状部材送出装置の要部を示す説明図である。
【図５】容器部材をベース部材に取り付ける要領を示す説明図である。
【図６】従来技術を示す説明図である。
【符号の説明】
１  ベース部材
２  容器部材
２Ａ  上部開口
２Ｂ  下部開口
２Ｃ  円筒状部
３  電動モータ
４  回転体
４Ａ  分離穴
５  送出口
６〜９  凹部
１０〜１３  取付脚
１４  螺子
１５  枠体
１５Ａ  円筒状部
１６  回転軸
１００、１００Ｘ  コイン状部材送出装置
【図１】
2004164297.tif 000003
【図２】
2004164297.tif 000004
【図３】
2004164297.tif 000005
【図４】
2004164297.tif 000006
【図５】
2004164297.tif 000007
【図６】
2004164297.tif 000008